(57)【要約】【課題】収納スペースを得ることができるとともに、採光もできる収納付き壁および収納付き壁の配置構造を提供する。【解決手段】壁本体２に、この壁本体２の表面側に開口する収納部１４が設けられており、この収納部１４の奥側の面が、透光性を有しかつ壁本体２の裏面側に露出する透光性面材５で構成されているので、収納スペースを得ることができ、また、収納部１４の奥側の面を構成する透光性面材５を通して採光できる。【選択図】図１
2010112032.tif 000002
【特許請求の範囲】
【請求項１】
壁本体に、この壁本体の表面側に開口する収納部が設けられており、
この収納部の奥側の面が、透光性を有しかつ前記壁本体の裏面側に露出する透光性面材で構成されていることを特徴とする収納付き壁。
【請求項２】
請求項１に記載の収納付き壁において、
前記壁本体に、その厚さ方向に貫通する開口部が設けられ、
この開口部に、前記収納部を構成する収納枠体が嵌め込まれており、
この収納枠体の背面に前記透光性面材が取り替え可能に設けられていることを特徴とする収納付き壁。
【請求項３】
請求項２に記載の収納付き壁において、
前記収納枠体の背面に、縦押え桟材が着脱可能に取り付けられており、
この縦押え桟材と前記収納枠体の背面とで前記透光性面材が挟持されていることを特徴とする収納付き壁。 
【請求項４】
洗面所と、その両側の部屋の境界部に、請求項１〜３のいずれか一項に記載の収納付き壁が配置されていることを特徴とする収納付き壁の配置構造。 
【請求項５】
ウォークインクローゼットと、部屋または廊下との境界部に、請求項１〜３のいずれか一項に記載の収納付き壁が配置されていることを特徴とする収納付き壁の配置構造。
【請求項６】
請求項１〜３のいずれか一項に記載の収納付き壁が複数、平行にかつ前記透光性板材を対向させた状態で配置されていることを特徴とする収納付き壁の配置構造。
【発明の詳細な説明】
【技術分野】
【０００１】
本発明は、収納スペースが設けられた収納付き壁および収納付き壁の配置構造に関する。
【背景技術】
【０００２】
壁面内部に収納スペースが設けられた収納付き壁パネルの一例として特許文献１に記載のものが知られている。この収納付き壁パネルは、矩形状に枠組みされた枠体の室内側となる片面に面材が開口部を形成して貼設され、かつこの枠体の他方の面全域に合板等からなる面材が貼設され、さらに開口部の縁部に面材との間に隙間を形成するように固定枠材が配設されてなる収納パネル本体と、断面略コ字状の収納部と、この収納部の周縁部からさらに収納部側へ折返された取付片とから構成され、前記パネル本体の開口部に収納部を室内側へ向け、かつ取付片を前記収納パネル本体の隙間に挿入させた状態で組み入れられる収納ボードと、前記収納パネル本体の隙間に着脱自在に嵌入されて前記収納ボードを収納パネル本体に固定するくさび部材とを主要部材とするものである。
【特許文献１】実開平５−１４３２８号公報
【発明の開示】
【発明が解決しようとする課題】
【０００３】
ところで、上記のような従来の収納付き壁パネルでは、収納パネル本体の他方の面全域に合板等からなる面材が貼設されているので、つまり、収納パネル本体の背面が合板等の面材で構成されているので、収納付き壁パネルを通して採光できない。
例えば、洗面所と浴室とを従来の収納付き壁パネルで仕切った場合、洗面所あるいは浴室に収納付き壁パネルによる収納を新たに確保できるが、洗面所あるいは浴室のいずれか一方にしか窓がない場合等に、他方には窓からの外部の光を採り入れることができず、昼間でも電灯を灯す必要があった。
【０００４】
本発明は上記事情に鑑みてなされたもので、収納スペースを得ることができるとともに、採光もできる収納付き壁および収納付き壁の配置構造を提供することを課題としている。
【課題を解決するための手段】
【０００５】
上記課題を解決するために、請求項１に記載の発明は、例えば図１〜図７に示すように、壁本体２に、この壁本体２の表面側に開口する収納部１４が設けられており、
この収納部１４の奥側の面が、透光性を有しかつ前記壁本体２の裏面側に露出する透光性面材５で構成されていることを特徴とする。
【０００６】
ここで、壁本体２は間仕切り壁であってもよいし、躯体を構成する耐力壁の一部であってもよい。
また、壁本体の側部に他の壁を接合してもよいし、壁本体に他の壁を接合することなく壁本体を単独で使用してもよい。
【０００７】
請求項１に記載の発明によれば、壁本体２に、この壁本体２の表面側に開口する収納部１４が設けられているので、収納スペースを得ることができ、また、収納部１４の奥側の面が、透光性を有しかつ前記壁本体２の裏面側に露出する透光性面材５で構成されているので、この透光性面材５を通して採光できる。
【０００８】
請求項２に記載の発明は、請求項１に記載の収納付き壁において、
前記壁本体２に、その厚さ方向に貫通する開口部３が設けられ、
この開口部３に、前記収納部を構成する収納枠体４が嵌め込まれており、
この収納枠体４の背面に前記透光性面材５が取り替え可能に設けられていることを特徴とする。
【０００９】
請求項２に記載の発明によれば、開口部３に収納枠体４が嵌め込まれているので、壁本体２に容易に収納部１４を設けることができる。
また、収納枠体４の背面に、透光性面材５が取り替え可能に取り付けられているので、収納付き壁１を設置する場所等に応じて透光性面材５を容易に取り替えることができ、また、透光性面材５が板ガラス等で形成されている場合等に該透光性面材５が破損した際に、透光性面材５を容易に新しいものに取り替えることができる。
【００１０】
請求項３に記載の発明は、請求項２に記載の収納付き壁において、
前記収納枠体４の背面に、縦押え桟材１５，１６が着脱可能に取り付けられており、
この縦押え桟材１５，１６と前記収納枠体４の背面とで前記透光性面材５が挟持されていることを特徴とする。
【００１１】
請求項３に記載の発明によれば、縦押え桟材１５，１６と収納枠体４の背面とで透光性面材５が挟持されているので、縦押え桟材１５，１６を収納枠体４の背面から取り外すことによって、透光性面材５を容易に取り替えることができる。
【００１２】
請求項４に記載の発明は、例えば図８に示すように、洗面所２７と、その両側の部屋（例えばトイレ２６、ユーティリティルーム２８）との境界部に、請求項１〜３のいずれか一項に記載の収納付き壁１ｂ，１ｂが配置されていることを特徴とする。
【００１３】
請求項４に記載の発明によれば、洗面所２７と、その両側の部屋（例えばトイレ２６、ユーティリティルーム２８）とを互いに採光可能な状態で仕切ることができる。
【００１４】
請求項５に記載の発明は、ウォークインクローゼット２３と、部屋または廊下３０との境界部に、請求項１〜３のいずれか一項に記載の収納付き壁１が配置されていることを特徴とする。
【００１５】
請求項５に記載の発明によれば、ウォークインクローゼット２３を部屋または廊下３０から採光可能な状態で仕切ることができる。
【００１６】
請求項６に記載の発明は、請求項１〜３のいずれか一項に記載の収納付き壁１ｂ，１ｂが複数、平行にかつ前記透光性面材５ｂ，５ｂを対向させた状態で配置されていることを特徴とする。
【００１７】
請求項６に記載の発明によれば、複数の収納付き壁１ｂ，１ｂが平行にかつ透光性面材５ｂ，５ｂを対向させた状態で配置されているので、複数の収納付き壁１ｂ，１ｂの透光性面材５ｂ，５ｂを通して、該収納付き壁１ｂ，１ｂによって仕切られた部屋等に採光できる。
【発明の効果】
【００１８】
本発明によれば、壁本体に、この壁本体の表面側に開口する収納部が設けられており、この収納部の奥側の面が、透光性を有しかつ前記壁本体の裏面側に露出する透光性面材で構成されているので、収納スペースを得ることができるとともに、透光性面材を通して容易に採光できる。
【発明を実施するための最良の形態】
【００１９】
以下図面を参照して本発明の実施の形態について説明する。
図１は本発明に係る収納付き壁を示すもので、（ａ）は正面図、（ｂ）は側断面図、（ｃ）は平断面図、図２は同収納付き壁の分解斜視図、図３は収納付き壁の拡大平断面図、図４は収納付き壁の拡大側断面図である。
図１〜図４に示すように、収納付き壁１は、壁本体２と、この壁本体２に形成された開口部３に嵌めこまれた収納枠体４と、この収納枠体４の背面に取り替え可能に取り付けられた透光性面材５とを備えている。
【００２０】
壁本体２は、壁パネル６で形成されたものである。この壁パネル６は、框材を矩形枠状に組み立ててなる枠体の両面に、合板等からなる面材を取り付けて構成されたものであり、面材の表面には石膏ボード７が取り付けられている。
壁本体２には、その厚さ方向に貫通する前記開口部３が設けられている。開口部３は矩形状に形成されており、その上端は壁本体２の上面に開口している。なお、開口部３の縦方向に沿う内面は、壁パネル６を構成する縦框材の内側面で構成されており、横方向に沿う内面は、壁パネル６を構成する横框材の上面で構成されている。
【００２１】
前記収納枠体４は、矩形枠８とこの矩形枠８内に設けられた複数の棚板９を備えている。矩形枠８は、左右の側板８ａ，８ａと、該側板８ａ，８ａの上端部間に設けられた上板８ｂ，８ｂと、側板８ａ，８ａの下端部間に設けられた底板８ｃ，８ｃと、左右の側板８ａ，８ａ間に設けられた仕切板８ｄとを備えており、側板８ａと仕切板８ｄとの間に前記棚板９が設けられている。
仕切板８ｄは、側板８ａ，８ａの間の中間部に設けられており、該仕切板８ｄの上端部は上板８ｂ，８ｂに挟持され、下端部は底板８ｃ，８ｃに挟持されている。
【００２２】
棚板９は矩形板状に形成されており、図４および図５に示すように、その上面と下面には、それぞれ前記透光性面材５の下端と上端とが嵌めこまれる嵌合溝１０，１１が形成されている。嵌合溝１１は嵌合溝１０より深くなっている。また、前記上板８ｂの下面には嵌合溝１１が形成されており、底板８ｃの上面には嵌合溝１０が形成されている。
さらに、棚板９の両側端面には、図３および図４に示すように、それぞれ２個のダボ穴が形成されており、棚板９の側端面が当接する側板８ａと、仕切板８ｄの側面には、前記ダボ穴と対向してダボ穴が形成されている。
そして、棚板９は、その一方の側端面を側板８ａの側面に当接するとともに、両ダボ穴にダボ１２を挿入し、他方の側端面を仕切板８ｄの側面に当接するとともに、両ダボ穴にダボ１２を挿入することによって固定されている。
また、収納枠体４内には、複数の棚板９と仕切板８ｄを設けることによって、複数（本実施の形態では８つ）の収納部１４が設けられている。これら収納部１４・・・のうち、最下段と下から２段目の合計４つの収納部１４には、それぞれ倒れ止め棒１３がその両端部を側板８ａと仕切板８ｄに支持されて設けられている。
【００２３】
前記透光性面材５は、透光性を有する矩形薄板状のものであり、例えば擦りガラス調の半透明のアクリル板で形成されている。透光性面材５は収納枠体４に設けられた複数の収納部１４の背面側をそれぞれ閉塞するようになっている。
透光性面材５はその上端部が棚板９の下面または上板８ｂの下面に形成された嵌合溝１１に嵌め込まれ、下端部が棚板９の上面または底板８ｃの上面に形成された嵌合溝１０に嵌め込まれている。
また、透光性面材５の両側端部は収納枠体４の背面に当接されている。具体的には、図３に示すように、透光性面材５の一方の側端部は側板８ａの後端面に当接され、他方の側端部は仕切板８ｄの後端面に当接されている。
さらに、側板８ａの後端面には、図３および図６、図７に示すように、縦押え桟材１５が着脱可能に取り付けられており、仕切板８ｄの後端面には、縦押え桟材１６が着脱可能に取り付けられている。縦押え桟材１５，１６は上下に長尺な角材であり、上下の長さは側板８ａおよび仕切板８ｄと等しくなっている。
【００２４】
縦押え桟材１５は、当接面１５ａとこの当接面１５ａに形成された切欠溝１５ｂとを有しており、この切欠溝１５ｂに透光性面材１５の一方の側端部が挿入されたうえで、当接面１５ａが側板８ａの後端面に当接している。これによって、透光性面材５の一方の側端部は縦押え桟材１５と側板８ａの後端面とによって挟持されている。
また、縦押え桟材１５の当接面１５ａには、複数のダボ穴が上下に所定間隔で複数形成されており、側板８ａの後端面には、前記ダボ穴に対向するダボ穴が上下に所定間隔で複数形成されている。そして、対向する両ダボ穴にダボ１７を抜き差し可能に差し込むことによって、縦押え桟材１５は側板８ａの後端面に着脱可能に取り付けられている。
【００２５】
縦押え桟材１６は、当接面１６ａとこの当接面１６ａに形成された切欠溝１６ｂ，１６ｂとを有しており、切欠溝１６ｂ，１６ｂに左右に、隣り合う透光性面材５，５の他方の側端部が挿入されたうえで、当接面１６ａが仕切板８ｄの後端面に当接している。これによって、左右に隣り合う透光性面材５，５の他方の側端部は縦押え桟材１６と仕切板８ｄの後端面とによって挟持されている。
また、縦押え桟材１６の当接面１６ａには、複数のダボ穴が上下に所定間隔で複数形成されており、仕切板８ｄの後端面には、前記ダボ穴に対向するダボ穴が上下に所定間隔で複数形成されている。そして、対向する両ダボ穴にダボ１７を抜き差し可能に差し込むことによって、縦押え桟材１６は仕切板８ｄの後端面に着脱可能に取り付けられている。
【００２６】
そして、透光性面材５を取り替える場合、前記縦押え桟材１５，１６のうちの少なくともいずれか一方を外した後、透光性面材５を左右のいずれかにスライドすることによって、透光性面材５の側端部を当接面１５ａ，１６ａから外すとともに、若干持ち上げることによって、その下端部を嵌合溝１０から外すことによって、透光性面材５を取り外すことができる。また、新しい透光性面材５の上端部を嵌合溝１１に嵌め込んだうえで、下方に落とすことによって、透光性面材５の下端部を嵌合溝１０に嵌め込み、さらに、透光性面材５を当接面１５ａ，１６ａに当接して左右のいずれかにスライドした後、外しておいた前記縦押え桟材１５，１６を再び取り付けることによって、透光性面材５を取り付けることができる。
以上のようにして、透光性面材５は収納枠体４の背面に取り替え可能に取り付けられている。
【００２７】
上記のような構成の収納付き壁１は、図２に示すように、まず、収納枠体４を別途形成しておき、壁本体２に形成された開口部３にこの収納枠体４を嵌め込むとともに、この収納枠体４の両側面および底面を、開口部３を形成する側面および下面に接着剤や釘打ち等によって固定することによって、形成される。
また、このような収納付き壁１は、その両側端部に他の壁パネルが接合されたり、また、一方の側端部に他の壁パネルが接合されて使用される。
【００２８】
図８は収納付き壁１を設置した建物の平面図である。
図８に示すように、建物の東南角部に玄関２１が配置されており、この玄関２１の西側に部屋２２が配置され、この部屋２２の北側に、ウォークインクローゼット２３を挟んで、部屋２４が配置されている。ウォークインクローゼット２３は部屋２２，２４の双方から出入りして使用可能なものである。
また、玄関２１の北側には、玄関ホール２１ａ、階段室２５、トイレ２６、洗面所２７、ユーティリティルーム２８が順次配置されており、ユーティリティルーム２８の西側に浴室２９が配置されている。
また、前記玄関ホール２１ａには、南北に延在する廊下３０が接続されている。この廊下３０は、ウォークインクローゼット２３と階段室２５との間を通り、北側の端部が部屋２４と、洗面室２７に接続されている。
【００２９】
そして、ウォークインクローゼット２３と、廊下３０との境界部に前記収納付き壁１が配置されている。収納付き壁１は、その前面（収納部１４の開口側）を廊下３０側に向けて配置されており、該収納付き壁１の両側部にはそれぞれ壁パネルで構成された内壁３１，３１が接合されている。
また、収納付き壁１はウォークインクローゼット２３の窓２３ａに対向して配置されており、この窓２３ａから採り込んだ光を収納付き壁１の透光性面材５を通して、廊下３０に採光できるようになっている。
【００３０】
なお、ウォークインクローゼット２３と、廊下３０との境界部に配置された収納付き壁１に代えて、図９に示すような、収納付き壁１ａを配置してもよい。この収納付き壁１ａは、壁本体２ａと、この壁本体２ａに形成された開口部３ａに嵌めこまれた収納枠体４ａと、この収納枠体４ａの背面に取り替え可能に取り付けられた透光性を有する透光性面材５ａとを備えている。
【００３１】
開口部３ａは壁本体２ａの上端から下端までの長さを有する縦長矩形の開口部であり、開口部３ａの幅は前記開口部３とほぼ等しくなっている。
収納枠体４ａは、縦長の矩形枠３２とこの矩形枠３２内に設けられた複数の棚板３３を備えている。棚板３３は矩形枠３２の側板３２ａ，３２ａにビスによって取り付けられている。
また、透光性面材５ａは、前記透光性面材５と同様にして、収納枠体４ａの背面に取り替え可能に取り付けられている。つまり、収納枠体４ａの背面に、図示しない縦押え桟材が着脱可能に取り付けられており、この縦押え桟材と収納枠体４ａの背面とで透光性面材５ａが挟持されている。そして、縦押え桟材を取り外すことによって、透光性面材５ａを取り替えることができるようになっている。なお、透光性面材５ａの上下端部はそれぞれ前記嵌合溝１０，１１と同様の嵌合溝に嵌め込まれている。
【００３２】
図８に示すうように、前記建物内には、洗面所２７とトイレ２６との境界部および、洗面所２７とユーティリティルーム２８との境界部には、収納付き壁１ｂ，１ｂが配置されている。
この収納付き壁１ｂは、図１０に示すように、壁本体２ｂと、この壁本体２ｂに形成された開口部３ｂに嵌めこまれた収納枠体４ｂと、この収納枠体４ｂの背面に取り替え可能に取り付けられた透光性を有する透光性面材５ｂとを備えている。
【００３３】
開口部３ｂは壁本体２ｂの上端から下端までの長さを有する縦長矩形の開口部であり、開口部３ｂの幅は前記開口部３の約半分となっている。
収納枠体４ｂは、縦長の矩形枠４２とこの矩形枠４２内に設けられた複数の棚板４３を備えている。棚板４３は矩形枠４２の側板４２ａ，４２ａにビスによって取り付けられている。
また、透光性面材５ｂは、前記透光性面材５ａと同様にして、収納枠体４ｂの背面に取り替え可能に取り付けられている。
【００３４】
前記収納付き壁１ｂ，１ｂは、図８に示すように、平行にかつ透光性面材５ｂ，５ｂを対向させた状態で配置されており、該収納付き壁１ｂ，１ｂの一方の側部には、内壁３５，３５が接合されており、他方の側部は自由端となっている。
これら収納付き壁１ｂ，１ｂの間に、洗面台が配置されており、収納付き壁１ｂ，１ｂのそれぞれの収納部の開口は洗面台側を向いている。
また、洗面所２７とユーティリティルーム２８との境界部に配置されている収納付き壁１ｂは、ユーティリティルーム２８の窓２８ａや出入口２８ｂの近傍に配置されており、この窓２８ａや出入口２８ｂから採り込んだ光を収納付き壁１ｂの透光性面材５ｂを通して、洗面室２７に採光できるようになっている。
【００３５】
以上のように本実施の形態によれば、壁本体２に、この壁本体２の表面側に開口する収納部１４が設けられているので、収納スペースを得ることができ、また、収納部１４の奥側の面が、透光性を有しかつ壁本体２の裏面側に露出する透光性面材５で構成されているので、この透光性面材５を通して採光できる。
また、壁本体２に設けられた開口部３に収納枠体４が嵌め込まれているので、壁本体２に容易に収納部１４を設けることができる。
さらに、収納枠体４の背面に、透光性面材５が取り替え可能に取り付けられているので、収納付き壁１を設置する場所等に応じて透光性面材５を容易に取り替えることができ、また、透光性面材５が板ガラス等で形成されている場合等に該透光性面材５が破損した際に、透光性面材５を容易に新しいものに取り替えることができる。
【００３６】
また、収納枠体４の背面に、縦押え桟材１５，１６が着脱可能に取り付けられており、該縦押え桟材１５，１６と収納枠体４の背面とで透光性面材５が挟持されているので、縦押え桟材１５，１６を収納枠体４の背面から取り外すことによって、透光性面材５を容易に取り替えることができる。
【００３７】
また、洗面所２７とトイレ２６の境界部、洗面所２７とユーティリティルーム２８との境界部に収納付き壁１ｂ，１ｂが配置されているので、洗面所２７と、トイレ２６およびユーティリティルーム２８とを互いに採光可能な状態で仕切ることができる。
さらに、収納付き壁１ｂ，１ｂが平行にかつ透光性面材５ｂ，５ｂを対向させた状態で配置されているので、収納付き壁１ｂ，１ｂの透光性面材５ｂ，５ｂを通して、該収納付き壁１ｂ，１ｂによって仕切られた洗面所２７やトイレ２６に採光できる。
また、ウォークインクローゼット２３と廊下３０との境界部に収納付き壁１または１ａが配置されているので、ウォークインクローゼット２３を廊下３０から採光可能な状態で仕切ることができる。
【図面の簡単な説明】
【００３８】
【図１】本発明に係る収納付き壁の一例を示すもので、（ａ）は正面図、（ｂ）は側断面図、（ｃ）は平断面図である。
【図２】同、収納付き壁の分解斜視図である。
【図３】同、収納付き壁の拡大平断面図である。
【図４】同、収納付き壁の拡大側断面図である。
【図５】同、棚板の側断面図である。
【図６】同、側板と縦押え桟材を示す平断面図である。
【図７】同、仕切板と縦押え桟材を示す平断面図である。
【図８】本発明に係る収納付き壁の配置構造を有する建物の平面図である。
【図９】本発明に係る収納付き壁の他の例を示す正面図である。
【図１０】本発明に係る収納付き壁のさらに他の例を示す正面図である。
【符号の説明】
【００３９】
１，１ａ，１ｂ  収納付き壁
２，２ａ，２ｂ  壁本体
３，３ａ，３ｂ  開口部
４，４ａ，４ｂ  収納枠体
５，５ａ，５ｂ  透光性面材
１５，１６  縦押え桟材
２６  ワークインクローゼット
２７  洗面所
３０  廊下
【図１】
2010112032.tif 000003
【図２】
2010112032.tif 000004
【図３】
2010112032.tif 000005
【図４】
2010112032.tif 000006
【図５】
2010112032.tif 000007
【図６】
2010112032.tif 000008
【図７】
2010112032.tif 000009
【図８】
2010112032.tif 000010
【図９】
2010112032.tif 000011
【図１０】
2010112032.tif 000012